(57)【特許請求の範囲】
【請求項１】
透液性トップシートと、バックシートと、これらの間に介在された吸収体とを有し、股間を覆うように装着される吸収性物品において、
前後方向中間領域に、左側部、右側部及びこれらの間に位置する中央部を有しており、
前記左側部における中央部側の部分及び左側の部分のうち中央部側の部分の裏面と、前記中央部における左側の部分及び右側の部分のうち左側の部分の裏面とを接合する接合手段と、
前記右側部における中央部側の部分及び右側の部分のうち中央部側の部分の裏面と、前記中央部における左側の部分及び右側の部分のうち右側の部分の裏面とを接合する接合手段とを備えるとともに、
前記左側部、右側部及び中央部が前記透液性トップシート、バックシート及び吸収体を有する部分とされており、
前記接合手段による接合とともに、前記右側部における右側の部分を前記右側部における中央部側の部分の裏側に、及び前記左側部における左側の部分を前記左側部における中央部側の部分の裏側にそれぞれ折り返すことによって、前記左側部における吸収体を有する部分及び前記右側部における吸収体を有する部分が前記中央部の裏側から前記中央部の側方までそれぞれ延在するとともに、前記中央部が前記左側部及び前記右側部に対して股間側に持ち上がった中高形状となるように構成されている、
ことを特徴とする、吸収性物品。
【請求項２】
前後方向において前記中間領域の前後両側まで連続し、かつ幅方向において前記左側部と対応する位置から前記右側部と対応する位置まで連続する一体的な吸収体を有するとともに、前記中央部と前記左側部及び前記右側部との各境界にスリットがそれぞれ形成され、
前記吸収体は、前記前後方向中間領域では、前記スリットによって、前記左側部に位置する部分、前記中央部に位置する部分、及び前記右側部に位置する部分が幅方向に分離し、かつ前記中間領域の前後両側では前記左側部に位置する部分、前記中央部に位置する部分、及び前記右側部に位置する部分が幅方向に連続している、請求項１記載の吸収性物品。
【請求項３】
前記吸収体における前記中央部に位置する部分に、表裏方向に貫通する貫通孔が形成された、尿吸収用の吸収性物品である、請求項１記載の吸収性物品。
【請求項４】
前記中央部におけるトップシートの裏面又は吸収体の表面に、弾性伸縮部材が前後方向に沿って伸張した状態で固定されている、請求項１〜３のいずれか１項に記載の吸収性物品。
【発明の詳細な説明】
【技術分野】
【０００１】
本発明は、使い捨ておむつ、吸収パッド、生理用ナプキン等の、股間を覆うように身体に装着される吸収性物品に関する。
【背景技術】
【０００２】
近年、吸収性物品の股間への密着性を高め、伝い漏れを防ぐとともに、粘度の液体が急激に排泄された場合（排尿の場合が典型的であり、ある程度多量に且つある程度早く排泄された場合）であっても漏れずに吸収できる構造の吸収性物品として、特許文献１記載のものが提案されている。
【特許文献１】特開２００７−３３０３８３号公報
【発明の開示】
【発明が解決しようとする課題】
【０００３】
しかしながら、この吸収性物品は、トップシートとバックシートとの間に第１吸収体を有する第１吸収部（一般的な構造の吸収性物品に相当する部分である）のトップシート上に、上面シートと下面シートとの間に第２吸収体を介在させた第２吸収部を浮かせて取り付けたものであり、第２吸収部は別体として形成されるものであるため、構造が複雑であるといった問題点や、それゆえに製造工程が複雑となり、製造コストが嵩むといった問題点を有していた。
そこで、本発明の主たる課題は、股間への密着性と、急激な排泄に対する漏れ防止性能とを両立しながらも、構造が簡素であり、製造も容易な吸収性物品を提案することにある。
【課題を解決するための手段】
【０００４】
上記課題を解決した本発明は次記のとおりである。
＜請求項１記載の発明＞
透液性トップシートと、バックシートと、これらの間に介在された吸収体とを有し、股間を覆うように装着される吸収性物品において、
前後方向中間領域に、左側部、右側部及びこれらの間に位置する中央部を有しており、
前記左側部における中央部側の部分及び左側の部分のうち中央部側の部分の裏面と、前記中央部における左側の部分及び右側の部分のうち左側の部分の裏面とを接合する接合手段と、
前記右側部における中央部側の部分及び右側の部分のうち中央部側の部分の裏面と、前記中央部における左側の部分及び右側の部分のうち右側の部分の裏面とを接合する接合手段とを備えるとともに、
前記左側部、右側部及び中央部が前記透液性トップシート、バックシート及び吸収体を有する部分とされており、
前記接合手段による接合とともに、前記右側部における右側の部分を前記右側部における中央部側の部分の裏側に、及び前記左側部における左側の部分を前記左側部における中央部側の部分の裏側にそれぞれ折り返すことによって、前記左側部における吸収体を有する部分及び前記右側部における吸収体を有する部分が前記中央部の裏側から前記中央部の側方までそれぞれ延在するとともに、前記中央部が前記左側部及び前記右側部に対して股間側に持ち上がった中高形状となるように構成されている、
ことを特徴とする、吸収性物品。
【０００５】
（作用効果）
本発明の吸収性物品では、使用に際して又は予め製品状態で、左側部を中央部との境界を折り目として中央部の裏側に折り、左側部における中央部側の部分の裏面と中央部における左側の部分の裏面とを接合し、同様に、右側部を中央部との境界を折り目として中央部の裏側に折り、右側部における中央部側の部分の裏面と中央部における右側の部分の裏面とを接合するとともに、左側部における中央部との非接合部分を、接合部分（中央部側の部分）との境界を折り目として接合部分の裏側に折り返し、同様に、右側部における中央部との非接合部分を、接合部分（中央部側の部分）との境界を折り目として接合部分の裏側に折り返すことにより、中央部を左側部及び右側部に対して股間側に持ち上げることができる。
【０００６】
よって、本発明の吸収性物品では、下着等のアウターの内面に左側部及び右側部の裏面が当接し、これらにより支えられる形で中央部が身体側に押し出され、中央部が股間に密着するようになるため、股間からの排泄液が中央部で直ちに吸収され、伝い漏れが防止される。また、中央部の両側に位置する左側部及び右側部は、中央部よりも一段外側に離れるため、急激な排泄に対しては中央部で吸収しきれない分の排泄液は中央部から左側部及び右側部と身体との間の離間空間に逃がされた後、左側部及び右側部の吸収体により吸収される。
【０００７】
そして、特筆すべきことに、本発明の吸収性物品は、既存の吸収性物品に対して所定の部位に接合手段を設けるだけで済むため、構造が極めて簡素で、接合手段の接合工程を含めて考慮しても、製造が格段に容易となる。
【０００８】
＜請求項２記載の発明＞
前後方向において前記中間領域の前後両側まで連続し、かつ幅方向において前記左側部と対応する位置から前記右側部と対応する位置まで連続する一体的な吸収体を有するとともに、前記中央部と前記左側部及び前記右側部との各境界にスリットがそれぞれ形成され、
前記吸収体は、前記前後方向中間領域では、前記スリットによって、前記左側部に位置する部分、前記中央部に位置する部分、及び前記右側部に位置する部分が幅方向に分離し、かつ前記中間領域の前後両側では前記左側部に位置する部分、前記中央部に位置する部分、及び前記右側部に位置する部分が幅方向に連続している、請求項１記載の吸収性物品。
【０００９】
（作用効果）
このように吸収体が分離していると、中央部が左側部及び右側部に対して持ち上がり易くなるとともに、接合手段の接合に際して左側部及び右側部を中央部に対して所定の位置で容易に折り返すことができるようになる。
【００１０】
＜請求項３記載の発明＞
前記吸収体における前記中央部に位置する部分に、表裏方向に貫通する貫通孔が形成された、尿吸収用の吸収性物品である、請求項１記載の吸収性物品。
【００１１】
（作用効果）
本発明の中央部は股間に対する密着性が高いため、排泄液の受け入れ速度遅いと急激な排泄においては排泄液の逃げ道が無くなり、漏れや不快感をもたらすおそれがある。よって、本項記載のような貫通孔を設けて、排泄液の受け入れ速度を向上させるのは好ましい。
【００１２】
＜請求項４記載の発明＞
前記中央部におけるトップシートの裏面又は吸収体の表面に、弾性伸縮部材が前後方向に沿って伸張した状態で固定されている、請求項１〜３のいずれか１項に記載の吸収性物品。
【００１３】
（作用効果）
このような構造を有していると、中央部におけるトップシート側の部分が、弾性伸縮部材に伴って前後方向に収縮する結果、中央部が左側部及び右側部に対して股間側に弾力的に隆起する。よって、中央部の股間への密着性がより一層のものとなる。
【発明の効果】
【００１４】
以上のとおり本発明によれば、股間への密着性と、急激な排泄に対する漏れ防止性能とを両立しながらも、構造が簡素であり、製造も容易になる、等の利点がもたらされる。
【発明を実施するための最良の形態】
【００１５】
以下、本発明の一実施形態についてテープ式使い捨ておむつの例を引いて説明するが、本発明はおむつや下着内面に装着される吸収パッド等の他の吸収性物品にも適用できるものである。
【００１６】
（テープ式使い捨ておむつについて）
図１〜図６は、本発明に係るテープ式使い捨ておむつの一例１００を示しており、この使い捨ておむつ１００は、バックシート１の内面と、透液性トップシート２との間に、吸収体３が介在されているものである。股間部Ｃは使用時に身体の股間と対応させる部分を意味し、殆ど多くの製品では前後方向中央部及びその前後近傍の部分である。具体的には、成人向け吸収性物品の場合、製品の前後方向中央を基準として±１５０ｍｍの範囲である。また、腹側部分（前側部分）Ｆは股間部Ｃよりも前側の部分を意味し、背側部分（後側部分）Ｂは股間部Ｃよりも後側の部分を意味する。
【００１７】
バックシート１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。バックシート１の単位面積あたりの重量は１３〜４０ｇ／ｍ2であるのが好ましく、厚みは０．０１〜０．１ｍｍであるのが好ましい。
【００１８】
透液性トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。透液性トップシート２に用いる不織布の繊維目付けは１５〜３０ｇ／ｍ2であるのが好ましく、厚みは０．０５〜１ｍｍであるのが好ましい。
【００１９】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。また、必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。吸収体４におけるパルプ目付けは１００〜５００ｇ／ｍ2程度、厚みは１〜１５ｍｍ程度であるのが望ましい。また、高吸水性樹脂の目付けは０〜３００ｇ／ｍ2程度であるのが望ましい。高吸水性樹脂含有率が少な過ぎると、十分な吸収能を与えることができず、多過ぎるとパルプ繊維間の絡み合いが無くなり、ヨレや割れ等が発生し易くなる。
【００２０】
バックシート１は、吸収体３の周囲より外方に延在しており、両側縁に脚周りに沿う括れ部を有する砂時計形状をなしているものである。バックシート１の側方延在部の内面にはバリヤーシート４の幅方向外側の部分４ｘが前後方向全体にわたり貼り付けられ、吸収体３の存在しないサイドフラップ部ＳＦを構成している。バリヤーシート４の幅方向中央側の部分４ｃはトップシート２上にまで延在しており、その幅方向中央側の端部には、細長状弾性部材４Ｇが前後方向に沿って伸張状態でホットメルト接着剤等により固定されている。この細長状弾性部材４Ｇ及び後述する細長状弾性部材１３としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２１】
透液性トップシート２は、吸収体３より若干大きめの砂時計形状とされ、吸収体３側縁より若干外方に延在する部分がバリヤーシート４とバックシート１との間にホットメルト接着剤等により固着されている。この固着部分は図３及び図４では点模様で示されている。バリヤーシート４の素材としては、プラスチックシートやメルトブローン不織布を使用することもできるが、肌への感触性の点で、不織布にシリコンなどにより撥水処理をしたものが好適に使用される。
【００２２】
バックシート１の外面を不織布で覆う場合には、バックシート１に代えて、外装不織布を吸収体３の周囲より外方に延在させてバリヤーシート４の側部とともに、吸収体８の存在しないサイドフラップ部ＳＦを構成することもできる。この場合、バックシート１をサイドフラップ部ＳＦまで延在させず、トップシート２と同様の形状とすることができる。
【００２３】
図３及び図４にも示されるように、両バリヤーシート４，４は、幅方向外側の部分４ｘが前後方向全体にわたり物品内面（図示形態ではトップシート２表面およびバックシート１内面）に着脱しないように固定されるとともに、幅方向中央側の部分４ｃが、前後方向の両端部では物品内面（図示形態ではトップシート２表面）に着脱しないように固定され、かつ前後方向の両端部間では物品内面（図示形態ではトップシート２表面）に固定されていない。この非固定部分は、図４に示されるように、物品内面（図示形態ではトップシート２表面）に対して起立可能なバリヤー部となる部分であり、その起立基端４ｂはバリヤーシート４における幅方向外側の固定部分４ｘと内側の部分４ｃとの境に位置する。
【００２４】
使い捨ておむつ１００の前後方向両端部では、バックシート１および透液性トップシート２が吸収体３の前後端よりも前後両側にそれぞれ延在され、吸収体３の存在しないエンドフラップ部ＥＦが形成され、このうち背側のエンドフラップ部ＥＦにおいては、複数本、図示の例では３本の糸状弾性部材７，７…が幅方向に沿って配設されている。この糸状弾性部材７としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００２５】
また、背側Ｂ１の胴回り部における両サイドフラップ部ＳＦには、それぞれファスニングテープ５，５が側方に突出するように取り付けられるとともに、使い捨ておむつ１００の腹側Ｆ１の胴回り部表面に幅方向に沿ってフロントターゲットテープ６が貼着されており、このフロントターゲットテープ６にファスニングテープ５の接合片８ａを止着することによって使い捨ておむつ１００が身体に装着されるようになっている。
【００２６】
図示例のファスニングテープ５は、１枚のファスニング基材シート８の内端側を使い捨ておむつ１００側に接着して取り付けられ、先端側には外側縁から延在して上下２段で側方に突出する接合片８ａ、８ａが形成され、接合片８ａ、８ａの間のファスニング基材シート８部分に対し、外側縁から内側に向かい、かつ水平方向に沿ってミシン目１０が設けられているものであるが、これに限られず公知のファスニングテープを用いることができる。ファスニング基材シート８としては、種々のシート材を使用することができるが、好ましくは坪量４０〜８０ｇ／ｍ2の単層又は複層の不織布を用いるのがよい。加工法は強度特性に優れたスパンボンドが好ましい。接合片８ａ、８ａの内面側（透液性表面シート２側）には、表面にフック状突起を多数有するフックテープ（メカニカルファスナーの雄材）９，９がそれぞれ取り付けられ、フック状突起が着脱可能に掛止される表面を有するフロントターゲットテープ（メカニカルファスナーの雌材）６へ接合可能となっている。
【００２７】
特徴的には、前後方向中間領域２０における、左側部２１、右側部２２及びこれらの間に位置する中央部２３のうち、左側部２１における中央部２３側の部分の裏面と中央部２３における左側の部分の裏面とを接合する接合手段３０と、右側部２２における中央部２３側の部分の裏面と中央部２３における右側の部分の裏面とを接合する接合手段３１とを備えている。また、左側部２１、右側部２２及び中央部２３は、透液性トップシート２、バックシート１及び吸収体３を有する部分とされている。
【００２８】
各部の寸法は、製品サイズや製品種類等に応じて適宜定めることができるが、例えば、前後方向中間領域２０は、腹側部分Ｆから股間部Ｃを通り背側部分Ｂまで延在する領域であるのが好ましいが、股間部Ｃのみからなる領域でも良い。具体的に、前後方向中間領域２０は、成人向け吸収性物品の場合、製品の前後方向中央を基準として前側に４０〜４００ｍｍの位置から、後側に４０〜４００ｍｍの位置までの範囲である。また、中央部２３は、装着者の股間幅に合わせて定めるのが好ましく、成人向け吸収性物品の場合４０〜５００ｍｍ程度の幅とするのが好ましい。一方、左側部２１及び右側部２２の幅は、排泄液を一時的に貯留する空間を形成する部分であるため、その空間確保の観点から寸法を定めるのが好ましく、成人向け吸収性物品の場合５０〜４００ｍｍ程度の幅とするのが好ましい。
【００２９】
接合手段３０としては、粘着剤や粘着テープ、面ファスナー等の剥離可能に接合する手段の他、接着剤や接着テープ等の剥離不可能に接合する手段を用いることもできる。図示例は粘着剤層を塗布により形成する形態を想定しているが、バックシート１の外面に図示しない外装シートが張り合わされている形態では、接合手段として面ファスナーの雄テープを用いるだけでも良い。接合手段は、図示例のように前後方向に連続的に設ける他、前後方向に間欠的（点線状）に設けることもできる。
【００３０】
接合手段３０を設ける位置は適宜定めれば良い。図示例では、左側部２１及び右側部２２における中央部２３側の部分の裏面にのみ接合手段３０を設けているが、これに代えて又はこれとともに、中央部２３における左側の部分の裏面及び右側部分の裏面に接合手段３０を設けても良い。粘着剤層のように単独で機能する接合手段３０の場合は、これらの接合部分のいずれか一方にのみ設けるのが好ましい。面ファスナーの雄テープ及び雌テープで接合する場合には、雄テープを接合部分のいずれか一方に、雌テープを他方に設ける。
【００３１】
接合手段３０による接合部分の幅は適宜定めることができるが、狭過ぎると、中央部２３の持ち上がり性に劣るようになり、広過ぎても折り返し部分の幅が広くなるだけである。この観点から、接合手段３０による接合部分の幅は、中央部２３の見かけ厚みに対して１００±９０ｍｍ程度とするのが好ましく、通常の場合２０〜１００ｍｍ程度とするのが好ましい。
【００３２】
かくして構成された使い捨ておむつでは、図左側部２１を中央部２３との境界を折り目として中央部２３の裏側に折り、左側部２１における中央部２３側の部分の裏面と中央部２３における左側の部分の裏面とを接合し、同様に、右側部２２を中央部２３との境界を折り目として中央部２３の裏側に折り、右側部２２における中央部２３側の部分の裏面と中央部２３における右側の部分の裏面とを接合するとともに、左側部２１における中央部２３との非接合部分を、接合部分（中央部２３側の部分）との境界を折り目として接合部分の裏側に折り返し、同様に、右側部２２における中央部２３との非接合部分を、接合部分（中央部２３側の部分）との境界を折り目として接合部分の裏側に折り返すことにより、中央部２３を左側部２１及び右側部２２に対して股間側に持ち上げることができる。
【００３３】
このような中央部２３が持ち上げられた所謂中高の形状は、ユーザーが使用に際し必要に応じて形成することも、また、予め製品状態で形成しておくこともできる。後者の場合でも、接合手段３０を剥離可能なものとすることにより、ユーザーが使用に際し必要に応じて接合手段３０を剥離し、中高形状から折り返しの無いより平坦な形状に変更することができる。
【００３４】
よって、下着等のアウターの内面に左側部２１及び右側部２２の裏面が当接し、これらにより支えられる形で中央部２３が身体側に押し出され、中央部２３が股間に密着するようになるため、股間からの排泄液が中央部２３で直ちに吸収され、伝い漏れが防止される。また、中央部２３の両側に位置する左側部２１及び右側部２２は、中央部２３よりも一段外側に離れるため、急激な排泄に対しては中央部２３で吸収しきれない分の排泄液は中央部２３から左側部２１及び右側部２２と身体との間の離間空間に逃がされた後、左側部２１及び右側部２２の吸収体３により吸収される。
【００３５】
他方、吸収体３は、左側部２１から右側部２２まで幅方向に連続していても良いが、その場合、中央部２３が左側部２１及び右側部２２に対して持ち上がり難くなる。よって、図示例のように、少なくとも前後方向中間領域２０では、吸収体３は、左側部２１に位置する部分、中央部２３に位置する部分、及び右側部２２に位置する部分が幅方向に分離しているのが好ましい。このような分離構造は適宜の方法で形成すれば良いが、図示例のように、前後方向においては中間領域２０の前後両側まで連続し、幅方向においては左側部２１と対応する位置から右側部２２と対応する位置まで連続する一体的な吸収体３に対し、中央部２３と左側部２１及び右側部２２との各境界にスリット４０をそれぞれ形成し、これらスリットにより各部を分離するのは一つの好ましい形態である。もちろん、各部２１〜２３に位置する吸収体全体が互に分離している（つまり、３本の吸収体が並設されている）のも好ましい形態である。スリット４０を設ける場合、その位置は、中央部２３と左右各側部２１，２２との境界又はその近傍が好ましい。
【００３６】
吸収体３がこのような分離構造を有していると、図７に示すように、中央部２３が左側部２１及び右側部２２に対して持ち上がり易くなる。また、接合手段３０の接合に際して左側部２１及び右側部２２を中央部２３に対して所定の位置で容易に折り返すことができるようになる。
【００３７】
他方、上記中央部２３は、股間に対する密着性が高いため、排泄液の受け入れ速度遅いと急激な排泄においては排泄液の逃げ道が無くなり、漏れや不快感をもたらすおそれがある。よって、図８及び図９に示すように、吸収体３における中央部２３に位置する部分に、表裏方向に貫通する貫通孔５０を形成し、中央部２３における排泄液の受け入れ速度を向上させるのは好ましい。
【００３８】
貫通孔５０の寸法及び数は適宜定めれば良いが、貫通孔５０は断面積が３ｍｍ2以上の筒状であるのが好ましく、また中央部２３の３ｃｍ角あたり９〜８１個形成されているのが好ましい。貫通孔５０の形成領域も適宜定めることができ、中央部２３の全体とすることもできるが、一部とすることもできる。通常の場合、貫通孔５０が中央部２３の面積に対して３〜８０％程度の面積を占めるのが好ましい。平面的に見たときの貫通孔５０の配列は不規則でも良いが、規則的に設けられているのが好ましく、特に図示例のように千鳥状の配列や、図示しないが行列状の配列が好ましい。
【００３９】
また、図８及び図９に示すように、中央部２３の股間への密着性を向上させるために、中央部２３におけるトップシート２の裏面又は吸収体３の表面に、弾性伸縮部材６０を前後方向に沿って伸張した状態で固定するのも好ましい形態である。このような構造を有していると、中央部２３におけるトップシート２側の部分が、弾性伸縮部材６０に伴って前後方向に収縮する結果、中央部２３が左側部２１及び右側部２２に対して股間側に弾力的に隆起する。よって、中央部２３の股間への密着性がより一層のものとなる。
【００４０】
弾性伸縮部材６０の位置は適宜定めれば良く、中央部２３の幅方向中央に設けられていても良いが、少なくとも中央部２３の両側縁に沿って設けられているのが好ましい。弾性伸縮部材６０としては、糸状、紐状、帯状等の細長形状に形成された、天然ゴム、合成ゴム、発泡樹脂等を好適に用いることができる。合成糸ゴムを用いる場合、太さ５７０〜１６４０ｄｔｅｘ程度のものを、１２０〜３５０％に伸張した状態で固定するのが好ましい。弾性伸縮部材６０は、中間領域２０内にのみ設けたり、中間領域２０内のみに固定し他の部分は非固定としたりする等、中間領域２０内のみに収縮力が作用するように設けられていても良いが、図示例のように、中間領域２０内から中間領域２０の前側及び後側の少なくとも一方の域外まで連続的に設ける等、収縮力が中間領域２０から域外までにわたり作用するように設けられていると、中間領域２０の前後方向全体が効果的に隆起するため好ましい。
【産業上の利用可能性】
【００４１】
本発明は、テープ式又はパンツ式等の使い捨ておむつの他、生理用ナプキン、パンティライナー、おりものシート、失禁パッド等、広範な用途に適用できるものである。
【図面の簡単な説明】
【００４２】
【図１】テープ式使い捨ておむつの展開状態の内面側を示す平面図である。
【図２】図１のＶ−Ｖ断面図である。
【図３】図１のＸ−Ｘ断面図である。
【図４】図１のＷ−Ｗ断面図である。
【図５】要部拡大平面図である。
【図６】テープ式使い捨ておむつの展開状態の外面側を示す平面図である。
【図７】使用時の中高状態における断面図である。
【図８】他のテープ式使い捨ておむつの展開状態の内面側を示す平面図である。
【図９】図８のＹ−Ｙ断面図である。
【符号の説明】
【００４３】
１…バックシート、２…透液性トップシート、３…吸収体、４…バリヤーシート、５…ファスニングテープ、６…ターゲットテープ、７…弾性部材、８…基材シート、９…フックテープ、１０…ミシン目、２０…中間領域、２１…左側部、２２…右側部、２３…中央部、３０…接合手段、４０…スリット、５０…貫通孔、６０…弾性伸縮部材、１００…テープ式使い捨ておむつ。
【図１】
0005089435.tif 000002
【図２】
0005089435.tif 000003
【図３】
0005089435.tif 000004
【図４】
0005089435.tif 000005
【図５】
0005089435.tif 000006
【図６】
0005089435.tif 000007
【図７】
0005089435.tif 000008
【図８】
0005089435.tif 000009
【図９】
0005089435.tif 000010